(57)【要約】      （修正有）【課題】印字可能な範囲が制限されることなく文書の紙指紋情報の登録及び判定が可能な原本登録装置及び登録方法、原本登録プログラム並びに原本判定プログラムを提供する。【解決手段】文書管理用の管理情報を示す二次元コード３１が作成されるとともに、作成されたコードが用紙に印字される。また、用紙に印字された二次元コードの印字領域内における余白領域３２の紙指紋情報が読み取られ、この読み取られた紙指紋情報が管理情報と紐付けられて照合用の紙指紋情報として登録される。一方、用紙に印字された文書管理用の二次元コードから、該コードで示される管理情報が読み取られて照合用の管理情報と照合され、二次元コードの印字領域内における余白領域３２の紙指紋情報が読み取られて、管理情報と紐付けて予め登録された照合用の紙指紋情報と照合され、これらの照合結果に基づいて、用紙が原本３０かどうかが判定される。【選択図】図３
2018038006.tif 000002
【特許請求の範囲】
【請求項１】
文書管理用の管理情報を示す画像コードを作成する画像コード作成手段と、
前記画像コード作成手段により作成された画像コードを用紙に印字する印字手段と、
前記印字手段により用紙に印字された画像コードの印字領域内における余白領域の紙指紋情報を読み取る紙指紋情報読み取り手段と、
前記紙指紋情報読み取り手段により読み取られた紙指紋情報を、照合用の紙指紋情報としてかつ画像コードで示される管理情報と紐付けて登録する紙指紋情報登録手段と、
を備えたことを特徴とする原本登録装置。
【請求項２】
前記余白領域は、前記画像コードの誤り訂正機能を利用してデータを復元できる領域に形成されている請求項１に記載の原本登録装置。
【請求項３】
前記画像コード作成手段は、作成する画像コードの候補が複数存在する場合は、最も大きい余白領域を有する画像コードを選択する請求項１に記載の原本登録装置。
【請求項４】
前記余白領域は複数存在しており、前記紙指紋情報読み取り手段は、前記複数の余白領域の紙指紋情報を読み取る請求項１に記載の原本登録装置。
【請求項５】
前記紙指紋情報読み取り手段は、用紙に印字された前記画像コードの印字領域内における余白領域の紙指紋情報に加えて、画像コードの周囲部の余白領域の紙指紋情報も読み取り、前記登録手段は、前記画像コードの印字領域内の余白領域の紙指紋情報と画像コードの周囲部の余白領域の紙指紋情報を、照合用の紙指紋情報として登録する請求項１〜４の何れかに記載の原本登録装置。
【請求項６】
前記画像コードの印字領域内における余白領域が、紙指紋情報の照合のために必要なサイズの余白領域となるように、印字される画像コードのサイズを設定する画像コードサイズ設定手段をさらに備え、
前記印字手段は、前記画像コードサイズ設定手段により設定されたサイズの画像コードを用紙に印字する請求項１〜５の何れかに記載の原本登録装置。
【請求項７】
前記紙指紋情報登録手段は、紙指紋が読み取られる余白領域の配置情報を、前記管理情報と紐付けて登録する請求項１〜６の何れかに記載の原本登録装置。
【請求項８】
前記紙指紋情報登録手段は、紙指紋読み取り時の解像度を前記管理情報と紐付けて登録する請求項１〜７の何れかに記載の原本登録装置。
【請求項９】
文書管理用の管理情報を示す画像コードを作成する画像コード作成ステップと、
前記画像コード作成ステップにより作成された画像コードを用紙に印字する印字ステップと、
前記印字ステップにより用紙に印字された画像コードの印字領域内における余白領域の紙指紋情報を読み取る紙指紋情報読み取りステップと、
前記紙指紋情報読み取りステップにより読み取られた紙指紋情報を、照合用の紙指紋情報としてかつ画像コードで示される管理情報と紐付けて登録する紙指紋情報登録ステップと、
を備えたことを特徴とする原本登録装置における原本登録方法。
【請求項１０】
前記余白領域は、前記画像コードの誤り訂正機能を利用してデータを復元できる領域に形成されている請求項９に記載の原本登録方法。
【請求項１１】
前記画像コード作成ステップでは、作成する画像コードの候補が複数存在する場合は、最も大きい余白領域を有する画像コードを選択する請求項９に記載の原本登録方法。
【請求項１２】
前記余白領域は複数存在しており、前記紙指紋情報読み取りステップでは、前記複数の余白領域の紙指紋情報を読み取る請求項９に記載の原本登録方法。
【請求項１３】
前記紙指紋情報読み取りステップでは、用紙に印字された前記画像コードの印字領域内における余白領域の紙指紋情報に加えて、画像コードの周囲部の余白領域の紙指紋情報も読み取り、前記登録ステップでは、前記画像コードの印字領域内の余白領域の紙指紋情報と画像コードの周囲部の余白領域の紙指紋情報を、照合用の紙指紋情報として登録する請求項９〜１２の何れかに記載の原本登録方法。
【請求項１４】
前記画像コードの印字領域内における余白領域が、紙指紋情報の照合のために必要なサイズの余白領域となるように、印字される画像コードのサイズを設定する画像コードサイズ設定ステップをさらに備え、
前記印字ステップでは、前記画像コードサイズ設定ステップにより設定されたサイズの画像コードを用紙に印字する請求項９〜１３の何れかに記載の原本登録方法。
【請求項１５】
前記紙指紋情報登録ステップでは、紙指紋が読み取られる余白領域の配置情報を、前記管理情報と紐付けて登録する請求項９〜１４の何れかに記載の原本登録方法。
【請求項１６】
前記紙指紋情報登録ステップでは、紙指紋読み取り時の解像度を前記管理情報と紐付けて登録する請求項９〜１５の何れかに記載の原本登録方法。
【請求項１７】
用紙に印字された文書管理用の画像コードから、該画像コードで示される管理情報を読み取る管理情報読み取り手段と、
前記画像コードの印字領域内における余白領域の紙指紋情報を読み取る紙指紋情報読み取り手段と、
前記管理情報読み取り手段により読み取られた管理情報を、予め登録された照合用の管理情報と照合する第１の照合手段と、
前記紙指紋情報読み取り手段により読み取られた紙指紋情報を、前記管理情報と紐付けて予め登録された照合用の紙指紋情報と照合する第２の照合手段と、
前記第１の照合手段及び第２の照合手段による照合結果に基づいて、前記用紙が原本かどうかを判定する判定手段と、
を備えたことを特徴とする原本判定装置。
【請求項１８】
前記余白領域は、前記画像コードの誤り訂正機能を利用してデータを復元できる領域に形成されている請求項１７に記載の原本判定装置。
【請求項１９】
前記紙指紋情報読み取り手段は、前記余白領域が複数存在している場合、最も大きい余白領域の紙指紋情報を読み取る請求項１７に記載の原本判定装置。
【請求項２０】
前記余白領域は複数存在しており、前記紙指紋情報読み取り手段は、前記複数の余白領域の紙指紋情報を読み取る請求項１７に記載の原本判定装置。
【請求項２１】
前記紙指紋情報読み取り手段は、用紙に印字された前記画像コードの印字領域内における余白領域の紙指紋情報に加えて、画像コードの周囲部の余白領域の紙指紋情報も読み取り、前記第２の照合手段は、前記画像コードの印字領域内の余白領域の紙指紋情報と画像コードの周囲部の余白領域の紙指紋情報を、予め登録された照合用の紙指紋情報と照合する請求項１７〜２０の何れかに記載の原本判定装置。
【請求項２２】
前記紙指紋読み取り手段は、前記管理情報と紐付けられて登録されている、紙指紋が読み取られる余白領域の配置情報に基づいて紙指紋情報を読み取る請求項１７〜２１の何れかに記載の原本判定装置。
【請求項２３】
前記紙指紋読み取り手段は、前記管理情報と紐付けられて登録されている解像度で紙指紋情報を読み取る請求項１７〜２２の何れかに記載の原本判定装置。
【請求項２４】
用紙に印字された文書管理用の画像コードから、該画像コードで示される管理情報を読み取る管理情報読み取りステップと、
前記画像コードの印字領域内における余白領域の紙指紋情報を読み取る紙指紋情報読み取りステップと、
前記管理情報読み取りステップにより読み取られた管理情報を、予め登録された照合用の管理情報と照合する第１の照合ステップと、
前記紙指紋情報読み取りステップにより読み取られた紙指紋情報を、前記管理情報と紐付けて予め登録された照合用の紙指紋情報と照合する第２の照合ステップと、
前記第１の照合ステップ及び第２の照合ステップによる照合結果に基づいて、前記用紙が原本かどうかを判定する判定ステップと、
を備えたことを特徴とする原本判定装置における原本判定方法。
【請求項２５】
前記余白領域は、前記画像コードの誤り訂正機能を利用してデータを復元できる領域に形成されている請求項２４に記載の原本判定方法。
【請求項２６】
前記紙指紋情報読み取りステップでは、前記余白領域が複数存在している場合、最も大きい余白領域の紙指紋情報を読み取る請求項２４に記載の原本判定方法。
【請求項２７】
前記余白領域は複数存在しており、前記紙指紋情報読み取りステップでは、前記複数の余白領域の紙指紋情報を取得する請求項２４に記載の原本判定方法。
【請求項２８】
前記紙指紋情報読み取りステップでは、用紙に印字された前記画像コードの印字領域内における余白領域の紙指紋情報に加えて、画像コードの周囲部の余白領域の紙指紋情報も取得し、前記第２の照合ステップでは、前記画像コードの印字領域内の余白領域の紙指紋情報と画像コードの周囲部の余白領域の紙指紋情報を、予め登録された照合用の紙指紋情報と照合する請求項２４〜２７の何れかに記載の原本判定方法。
【請求項２９】
前記紙指紋読み取りステップでは、前記管理情報と紐付けられて登録されている、紙指紋が読み取られる余白領域の配置情報に基づいて紙指紋情報を読み取る請求項２４〜２８の何れかに記載の原本判定方法。
【請求項３０】
前記紙指紋読み取りステップでは、前記管理情報と紐付けられて登録されている解像度で紙指紋情報を読み取る請求項２４〜２９の何れかに記載の原本判定方法。
【請求項３１】
請求項９〜１６の何れかに記載の原本登録方法を、原本登録装置のコンピュータに実行させるための原本登録プログラム。
【請求項３２】
請求項２４〜３０の何れかに記載の原本判定方法を、原本判定装置のコンピュータに実行させるための原本判定プログラム。
【発明の詳細な説明】
【技術分野】
【０００１】
この発明は、判定対象の用紙が原本か否かを判定するための情報を登録する原本登録装置及び原本登録方法、判定対象の用紙が原本か否かを判定する原本判定装置及び原本判定方法、原本登録プログラム並びに原本判定プログラムに関する。
【背景技術】
【０００２】
文書が原本かどうかを判定するための情報として、用紙の繊維情報である紙指紋情報を登録する原本登録装置や、紙指紋情報を用いて原本かどうかを判定する原本判定装置が、従来より知られている（例えば特許文献１、特許文献２）。
【０００３】
このような原本登録装置や原本判定装置では、文書である用紙の所定部位の紙指紋情報を紙指紋情報読み込み部により読み込んで登録しておくとともに、文書が原本であることを確認する際には、紙指紋情報読み込み部で読み込んだ文書の所定部位の紙指紋情報を、登録されている正規の紙指紋情報と照合し両紙指紋情報が合致したときはその文書が原本であると判定するものである。
【０００４】
ところで、文書を管理するための管理情報を示す、例えば二次元コード等の画像コードを文書に印刷しておくことが従来より行われている。
【０００５】
このような画像コードを有する文書の原本判定等を紙指紋情報を用いて行う場合、従来では、図１３に示すように、原本１００における画像コード１０１の印字位置と、紙指紋情報１０２の取得位置とは異なっていたため、次のような問題があった。
【先行技術文献】
【特許文献】
【０００６】
【特許文献１】特開２００４−１１２６４４号公報
【特許文献２】特開２００８−２８９０９３号公報
【発明の概要】
【発明が解決しようとする課題】
【０００７】
即ち、図１３に示すように、紙指紋情報１０２の取得位置に文字や画像等が印字されると、印字部分のインクによって紙指紋情報１０２の濃淡情報が消え、紙指紋情報１０２を読み取ることができなくなる恐れがあることから、画像コード１０１の印字領域は勿論のこと、紙指紋情報１０２の取得位置にも印字を行うことができず、このため印字可能な範囲が制限されるという問題があった。また、ユーザーは紙指紋情報１０２の取得位置を知らないため、紙指紋情報１０２の取得位置に手書きメモ等を記入してしまう場合があり、この場合は紙指紋情報１０２を読み取ることができないという問題もあった。なお、紙指紋情報１０２の取得位置を示すマークを用紙上に付すことも考えられるが、デザインに制限がかかる等の新たな問題があるため実際的ではない。
【０００８】
また、スマートフォン等のモバイル端末のカメラで紙指紋情報を読み取る場合、白地のままではカメラの焦点が合わず、また画像コードと紙指紋情報を別々に撮影しなければならず操作性の低下を招くという問題もあった。
【０００９】
この発明は、このような技術的背景に鑑みてなされたものであって、印字可能な範囲が制限されることなく文書の紙指紋情報の登録が可能な原本登録装置及び原本登録方法を提供し、さらに原本かどうかの判定が可能な原本判定装置及び原本判定方法を提供し、さらには原本登録プログラム及び原本判定プログラムを提供することを課題とする。
【課題を解決するための手段】
【００１０】
上記課題は、以下の手段によって解決される。
（１）文書管理用の管理情報を示す画像コードを作成する画像コード作成手段と、前記画像コード作成手段により作成された画像コードを用紙に印字する印字手段と、前記印字手段により用紙に印字された画像コードの印字領域内における余白領域の紙指紋情報を読み取る紙指紋情報読み取り手段と、前記紙指紋情報読み取り手段により読み取られた紙指紋情報を、照合用の紙指紋情報としてかつ画像コードで示される管理情報と紐付けて登録する紙指紋情報登録手段と、を備えたことを特徴とする原本登録装置。
（２）前記余白領域は、前記画像コードの誤り訂正機能を利用してデータを復元できる領域に形成されている前項１に記載の原本登録装置。
（３）前記画像コード作成手段は、作成する画像コードの候補が複数存在する場合は、最も大きい余白領域を有する画像コードを選択する前項１に記載の原本登録装置。
（４）前記余白領域は複数存在しており、前記紙指紋情報読み取り手段は、前記複数の余白領域の紙指紋情報を読み取る前項１に記載の原本登録装置。
（５）前記紙指紋情報読み取り手段は、用紙に印字された前記画像コードの印字領域内における余白領域の紙指紋情報に加えて、画像コードの周囲部の余白領域の紙指紋情報も読み取り、前記登録手段は、前記画像コードの印字領域内の余白領域の紙指紋情報と画像コードの周囲部の余白領域の紙指紋情報を、照合用の紙指紋情報として登録する前項１〜４の何れかに記載の原本登録装置。
（６）前記画像コードの印字領域内における余白領域が、紙指紋情報の照合のために必要なサイズの余白領域となるように、印字される画像コードのサイズを設定する画像コードサイズ設定手段をさらに備え、前記印字手段は、前記画像コードサイズ設定手段により設定されたサイズの画像コードを用紙に印字する前項１〜５の何れかに記載の原本登録装置。
（７）前記紙指紋情報登録手段は、紙指紋が読み取られる余白領域の配置情報を、前記管理情報と紐付けて登録する前項１〜６の何れかに記載の原本登録装置。
（８）前記紙指紋情報登録手段は、紙指紋読み取り時の解像度を前記管理情報と紐付けて登録する前項１〜７の何れかに記載の原本登録装置。
（９）文書管理用の管理情報を示す画像コードを作成する画像コード作成ステップと、前記画像コード作成ステップにより作成された画像コードを用紙に印字する印字ステップと、前記印字ステップにより用紙に印字された画像コードの印字領域内における余白領域の紙指紋情報を読み取る紙指紋情報読み取りステップと、前記紙指紋情報読み取りステップにより読み取られた紙指紋情報を、照合用の紙指紋情報としてかつ画像コードで示される管理情報と紐付けて登録する紙指紋情報登録ステップと、を備えたことを特徴とする原本登録装置における原本登録方法。
（１０）前記余白領域は、前記画像コードの誤り訂正機能を利用してデータを復元できる領域に形成されている前項９に記載の原本登録方法。
（１１）前記画像コード作成ステップでは、作成する画像コードの候補が複数存在する場合は、最も大きい余白領域を有する画像コードを選択する前項９に記載の原本登録方法。
（１２）前記余白領域は複数存在しており、前記紙指紋情報読み取りステップでは、前記複数の余白領域の紙指紋情報を読み取る前項９に記載の原本登録方法。
（１３）前記紙指紋情報読み取りステップでは、用紙に印字された前記画像コードの印字領域内における余白領域の紙指紋情報に加えて、画像コードの周囲部の余白領域の紙指紋情報も読み取り、前記登録ステップでは、前記画像コードの印字領域内の余白領域の紙指紋情報と画像コードの周囲部の余白領域の紙指紋情報を、照合用の紙指紋情報として登録する前項９〜１２の何れかに記載の原本登録方法。
（１４）前記画像コードの印字領域内における余白領域が、紙指紋情報の照合のために必要なサイズの余白領域となるように、印字される画像コードのサイズを設定する画像コードサイズ設定ステップをさらに備え、前記印字ステップでは、前記画像コードサイズ設定ステップにより設定されたサイズの画像コードを用紙に印字する前項９〜１３の何れかに記載の原本登録方法。
（１５）前記紙指紋情報登録ステップでは、紙指紋が読み取られる余白領域の配置情報を、前記管理情報と紐付けて登録する前項９〜１４の何れかに記載の原本登録方法。
（１６）前記紙指紋情報登録ステップでは、紙指紋読み取り時の解像度を前記管理情報と紐付けて登録する前項９〜１５の何れかに記載の原本登録方法。
（１７）用紙に印字された文書管理用の画像コードから、該画像コードで示される管理情報を読み取る管理情報読み取り手段と、前記画像コードの印字領域内における余白領域の紙指紋情報を読み取る紙指紋情報読み取り手段と、前記管理情報読み取り手段により読み取られた管理情報を、予め登録された照合用の管理情報と照合する第１の照合手段と、前記紙指紋情報読み取り手段により読み取られた紙指紋情報を、前記管理情報と紐付けて予め登録された照合用の紙指紋情報と照合する第２の照合手段と、前記第１の照合手段及び第２の照合手段による照合結果に基づいて、前記用紙が原本かどうかを判定する判定手段と、を備えたことを特徴とする原本判定装置。
（１８）前記余白領域は、前記画像コードの誤り訂正機能を利用してデータを復元できる領域に形成されている前項１７に記載の原本判定装置。
（１９）前記紙指紋情報読み取り手段は、前記余白領域が複数存在している場合、最も大きい余白領域の紙指紋情報を読み取る前項１７に記載の原本判定装置。
（２０）前記余白領域は複数存在しており、前記紙指紋情報読み取り手段は、前記複数の余白領域の紙指紋情報を読み取る前項１７に記載の原本判定装置。
（２１）前記紙指紋情報読み取り手段は、用紙に印字された前記画像コードの印字領域内における余白領域の紙指紋情報に加えて、画像コードの周囲部の余白領域の紙指紋情報も読み取り、前記第２の照合手段は、前記画像コードの印字領域内の余白領域の紙指紋情報と画像コードの周囲部の余白領域の紙指紋情報を、予め登録された照合用の紙指紋情報と照合する前項１７〜２０の何れかに記載の原本判定装置。
（２２）前記紙指紋読み取り手段は、前記管理情報と紐付けられて登録されている、紙指紋が読み取られる余白領域の配置情報に基づいて紙指紋情報を読み取る前項１７〜２１の何れかに記載の原本判定装置。
（２３）前記紙指紋読み取り手段は、前記管理情報と紐付けられて登録されている解像度で紙指紋情報を読み取る前項１７〜２２の何れかに記載の原本判定装置。
（２４）用紙に印字された文書管理用の画像コードから、該画像コードで示される管理情報を読み取る管理情報読み取りステップと、前記画像コードの印字領域内における余白領域の紙指紋情報を読み取る紙指紋情報読み取りステップと、前記管理情報読み取りステップにより読み取られた管理情報を、予め登録された照合用の管理情報と照合する第１の照合ステップと、前記紙指紋情報読み取りステップにより読み取られた紙指紋情報を、前記管理情報と紐付けて予め登録された照合用の紙指紋情報と照合する第２の照合ステップと、前記第１の照合ステップ及び第２の照合ステップによる照合結果に基づいて、前記用紙が原本かどうかを判定する判定ステップと、を備えたことを特徴とする原本判定装置における原本判定方法。
（２５）前記余白領域は、前記画像コードの誤り訂正機能を利用してデータを復元できる領域に形成されている前項２４に記載の原本判定方法。
（２６）前記紙指紋情報読み取りステップでは、前記余白領域が複数存在している場合、最も大きい余白領域の紙指紋情報を読み取る前項２４に記載の原本判定方法。
（２７）前記余白領域は複数存在しており、前記紙指紋情報読み取りステップでは、前記複数の余白領域の紙指紋情報を取得する前項２４に記載の原本判定方法。
（２８）前記紙指紋情報読み取りステップでは、用紙に印字された前記画像コードの印字領域内における余白領域の紙指紋情報に加えて、画像コードの周囲部の余白領域の紙指紋情報も取得し、前記第２の照合ステップでは、前記画像コードの印字領域内の余白領域の紙指紋情報と画像コードの周囲部の余白領域の紙指紋情報を、予め登録された照合用の紙指紋情報と照合する前項２４〜２７の何れかに記載の原本判定方法。
（２９）前記紙指紋読み取りステップでは、前記管理情報と紐付けられて登録されている、紙指紋が読み取られる余白領域の配置情報に基づいて紙指紋情報を読み取る前項２４〜２８の何れかに記載の原本判定方法。
（３０）前記紙指紋読み取りステップでは、前記管理情報と紐付けられて登録されている解像度で紙指紋情報を読み取る前項２４〜２９の何れかに記載の原本判定方法。
（３１）前項９〜１６の何れかに記載の原本登録方法を、原本登録装置のコンピュータに実行させるための原本登録プログラム。
（３２）前項２４〜３０の何れかに記載の原本判定方法を、原本判定装置のコンピュータに実行させるための原本判定プログラム。
【発明の効果】
【００１１】
前項（１）及び（９）に記載の発明によれば、文書管理用の管理情報を示す画像コードが作成されるとともに、作成された画像コードが用紙に印字される。また、用紙に印字された画像コードの印字領域内における余白領域の紙指紋情報が読み取られ、この読み取られた紙指紋情報が管理情報と紐付けられて照合用の紙指紋情報として登録される。つまり、紙指紋情報の読み取り位置が画像コードの印字領域内に位置しているから、画像コードの位置と紙指紋情報の読み取り位置が同じであり、従って画像コードのみを避けて印字すればよいから、印字範囲が制限される不都合を解消できる。また、ユーザーは画像コードを認識できるから、ユーザーが用紙にメモ書きする場合も、画像コードを避けさえすれば紙指紋情報の読み取り位置も必然的に避けることができ、紙指紋情報の読み取り位置にメモ書きされて紙指紋情報を読み取ることができなくなるという問題も解消できる。
【００１２】
前項（２）及び（１０）に記載の発明によれば、余白領域は、画像コードの誤り訂正機能を利用してデータを復元できる領域に形成されているから、画像コードに影響を及ぼすことなく、可及的に広い範囲の余白領域を確保することができる。
【００１３】
前項（３）及び（１１）に記載の発明によれば、作成する画像コードの候補が複数存在する場合は、最も大きい余白領域を有する画像コードが選択されるから、広い範囲の余白領域が形成される。
【００１４】
前項（４）及び（１２）に記載の発明によれば、余白領域は複数存在しており、これら複数の余白領域の紙指紋情報が読み取られて登録されるから、各余白領域は小さくても全体として大きな余白領域を確保でき、原本判定に必要な量の紙指紋情報を取得し登録することができる。
【００１５】
前項（５）及び（１３）に記載の発明によれば、原本に印字された画像コードの印字領域内における余白領域の紙指紋情報に加えて、画像コードの周囲部の余白領域の紙指紋情報も読み取られて、照合用の紙指紋情報として登録されるから、画像コードの印字領域内における余白領域の紙指紋情報だけでは不十分な場合も、画像コードを大きくすることなく、必要な量の紙指紋情報を確保することができる。
【００１６】
前項（６）及び（１４）に記載の発明によれば、画像コードの印字領域内における余白領域が、紙指紋情報の照合のために必要なサイズの余白領域となるように、画像コードのサイズが設定され、この設定されたサイズの画像コードが用紙に印字されるから、必要なサイズの余白領域を確保でき、ひいては必要な量の紙指紋情報を確実に確保することができる。
【００１７】
前項（７）及び（１５）に記載の発明によれば、紙指紋が読み取られる余白領域の配置情報が、管理情報と紐付けて登録されるから、登録された余白領域の配置情報に基づいて、紙指紋情報を正確に読み取ることができる。
【００１８】
前項（８）及び（１６）に記載の発明によれば、紙指紋読み取り時の解像度が管理情報と紐付けて登録されるから、原本判定のための紙指紋情報の読み取り時には、登録された解像度を参照して最適な解像度で紙指紋情報を読み取ることができる。
【００１９】
前項（１７）及び（２４）に記載の発明によれば、用紙に印字された文書管理用の画像コードから、該画像コードで示される管理情報が読み取られて照合用の管理情報と照合され、画像コードの印字領域内における余白領域の紙指紋情報が読み取られて、管理情報と紐付けて予め登録された照合用の紙指紋情報と照合され、これらの照合結果に基づいて、用紙が原本かどうかが判定されるから、原本かどうかを精度良く判定することができる。しかも、紙指紋情報の読み取り位置が画像コードの印字領域内に位置しているから、画像コードの位置と紙指紋情報の読み取り位置が同じであり、従って画像コードのみを避けて印字すればよいから、印字範囲が制限される不都合を解消できる。また、ユーザーは画像コードを認識できるから、ユーザーが用紙にメモ書きする場合も、画像コードを避けさえすれば紙指紋情報の読み取り位置も必然的に避けることができ、紙指紋情報の読み取り位置にメモ書きされて紙指紋情報を読み取ることができなくなるという問題も解消できる。      
【００２０】
さらに、モバイル端末等のカメラにより画像コードと紙指紋情報を読み取る場合に、１度の撮影で画像コードと紙指紋情報を同時に撮影することができるから、操作性も良い。
【００２１】
前項（１８）及び（２５）に記載の発明によれば、余白領域は、画像コードの誤り訂正機能を利用してデータを復元できる領域に形成されているから、画像コードに影響を及ぼすことなく、可及的に広い範囲の余白領域を確保し得て原本確認に必要な量の紙指紋情報を取得することができ、ひいては精度の高い原本判定を行うことができる。
【００２２】
前項（１９）及び（２６）に記載の発明によれば、余白領域が複数存在している場合、最も大きい余白領域の紙指紋情報が読み取られるから、広い範囲の余白領域から紙指紋情報を取得することができ、精度の高い原本判定を行うことができる。
【００２３】
前項（２０）及び（２７）に記載の発明によれば、余白領域は複数存在しており、これら複数の余白領域の紙指紋情報が読み取られて照合されるから、各余白領域は小さくても全体として大きな余白領域を確保し得て、原本判定に必要な量の紙指紋情報を取得することができる。
【００２４】
前項（２１）及び（２８）に記載の発明によれば、用紙に印字された画像コードの印字領域内における余白領域の紙指紋情報に加えて、画像コードの周囲部の余白領域の紙指紋情報も読み取られて、照合用の紙指紋情報と照合されるから、画像コードの印字領域内における余白領域の紙指紋情報だけでは不十分な場合も、画像コードを大きくすることなく、必要な量の紙指紋情報を取得することができる。
【００２５】
前項（２２）及び（２９）に記載の発明によれば、紙指紋が読み取られる余白領域の配置情報に基づいて、紙指紋情報を正確に読み取ることができる。
【００２６】
前項（２３）及び（３０）に記載の発明によれば、管理情報と紐付けられて登録されている解像度で紙指紋情報が読み取られるから、精度の高い読み取りを行うことができる。
【００２７】
前項（３１）に記載の発明によれば、前項８〜１４の何れかに記載の原本登録方法を、原本登録装置のコンピュータに実行させることができる。
【００２８】
前項（３２）に記載の発明によれば、前項２１〜２６の何れかに記載の原本判定方法を、原本判定装置のコンピュータに実行させることができる。
【図面の簡単な説明】
【００２９】
【図１】この発明の一実施形態に係る原本登録・判定装置が用いられた原本登録・判定システムの構成図である。
【図２】原本登録・判定装置の内部構成を示すブロック図である。
【図３】（Ａ）は原本を示す図、（Ｂ）は画像コードの印字部分の拡大図である。
【図４】原本判定処理の概要を説明するための図である。
【図５】原本登録・判定装置で実行される原本作成・登録処理のフローチャートである。
【図６】原本登録・判定装置で実行される原本判定処理のフローチャートである。
【図７】（Ａ）〜（Ｃ）は画像データの候補を示す図である。
【図８】（Ａ）は原本の他の例を示す図であり、（Ｂ）は画像コードの印字部分の拡大図であり、（Ｃ）は余白領域の合計を示す図である。
【図９】（Ａ）は原本のさらに他の例を示す図であり、（Ｂ）は画像コードの印字部分の拡大図である。
【図１０】画像コードの大きさを設定する処理の説明図である。
【図１１】余白領域の配置情報が登録されている管理データベースの説明図である。
【図１２】紙指紋情報の読み取り時の解像度が登録されている管理データベースの説明図である。
【図１３】従来技術の課題を説明するための原本を示す図である。
【発明を実施するための形態】
【００３０】
以下、この発明の実施形態を図面に基づいて説明する。
【００３１】
図１はこの発明の一実施形態に係る原本登録・判定装置１が用いられた原本登録・判定システムの構成図である。この原本登録・判定システムは、複数の原本登録・判定装置と管理サーバー２とがネットワーク３を介して接続されている。
【００３２】
原本登録・判定装置１は、所定の管理情報を示す画像コードを作成して原本に印字すると共に、印字後に原本の画像コード及び紙指紋情報を読み込み、画像コードから抽出した管理情報と読み取った紙指紋情報等の原本情報を管理サーバー２に照合用の情報として登録し、原本判定時は、用紙に印字された画像コード及び紙指紋情報を読み込み、画像コードから抽出した管理情報と読み取った紙指紋情報を、管理サーバーに登録されている照合用情報と比較照合して、原本かどうかの判定を行うものである。この実施形態では、原本登録・判定装置１として、コピー機能、プリ多機能、スキャン機能、ファクシミリ機能等の機能を有する多機能デジタル画像形成装置であるＭＦＰ（Multi Function Peripherals）が用いられている。
【００３３】
管理サーバー２はパーソナルコンピュータ等によって構成され、１台または複数台の原本登録・判定装置１から送信された管理情報と紙指紋情報等を一括して登録管理するものであり、管理情報と紙指紋情報等を相互に紐付けて格納する管理データベース（管理ＤＢ）２１を備えている。
【００３４】
図２は原本登録・判定装置１の内部構成を示すブロック図である。図２に示すように、原本登録・判定装置１は、ＣＰＵ１１と、ＲＯＭ１２と、ＲＡＭ１３と、スキャナ部１４と、記憶部１５と、プリンタ部１６と、操作パネル１７と、ネットワークコントローラ１８等を備えている。
【００３５】
前記ＣＰＵ１１は、原本登録・判定装置１の全体を統括制御し、コピー機能、プリンタ機能、スキャン機能、ファクシミリ機能等の基本機能を使用可能に制御するほか、この実施形態では、原本情報の登録時には、画像コードを作成して他の印字データとともに原本に印字し、さらにスキャナ部１４により読み込まれた原本の画像データから画像コード及び紙指紋情報を読み取って、画像コードで示される管理情報や紙指紋情報を管理サーバー２に登録する。あるいは、原本の判定時には、読み取った用紙の画像コードで示される管理情報や紙指紋情報を、管理サーバー２に登録されている照合用の情報と照合して、原本かどうかを判定するが、これらの処理については後述する。
【００３６】
画像コードの種類は特に限定されることはなく、画像コードの印字領域内に紙指紋情報を読み取るための余白領域を形成できるものであれば、その種類が限定されることはない。画像コードの一例として、ＱＲコード（登録商標）等の二次元コードやバーコードを挙げることができる。
【００３７】
前記ＲＯＭ１２は、ＣＰＵ１１の動作プログラム等を格納するメモリである。
【００３８】
前記ＲＡＭ１３は、ＣＰＵ１１が動作プログラムに基づいて動作する際の作業領域を提供するメモリである。
【００３９】
前記スキャナ部１４は、原稿台（図示せず）に置かれた原稿の画像を読み取り、画像データを出力する読み取り手段であり、この実施形態では用紙に印字された画像コードや紙指紋情報も読み取る。
【００４０】
前記記憶部１５は、例えばハードディスクドライブ（ＨＤＤ）などの不揮発性の記憶デバイスにより構成されており、ユーザー端末から送信されたプリントデータ、スキャナ部１４で読み取られた用紙の画像データ等の他、スキャナ部１４で読み取られた画像コードや紙指紋情報も記憶されている。
【００４１】
前記プリンタ部１６は、ユーザー端末からのプリントデータや、作成された画像コード等を用紙に印刷するものである。
【００４２】
前記操作パネル１７は、各種入力操作等のために使用されるものであり、メッセージや操作画面等を表示するタッチパネル式液晶等からなる表示部と、テンキー、スタートキー、ストップキー等を備えたキー入力部を備えている。
【００４３】
前記ネットワークコントローラ１８は、ネットワーク上の管理サーバー２、ユーザー端末等の外部装置との間での通信を制御することにより、データの送受信を行うものである。
【００４４】
次に、原本登録・判定装置１の動作を説明する。この例では、画像コードがＱＲコード（登録商標）（以下、単に二次元コードともいう）である場合を例示する。
【００４５】
ユーザーが自身のユーザー端末等から原本登録・判定装置１に対して原本登録モードを設定し、ユーザー端末で作成した印刷データを原本登録・判定装置１に送信して印字を指示する。原本登録・判定装置１はユーザー端末からの指示を受信して指定された用紙に受信した印刷データを印字する。同時に、管理情報を示す画像コードを作成し、この作成した画像コードを用紙に印字する。
【００４６】
管理情報としては特に限定されることはなく、原本の識別情報（ＩＤ）であっても良いし、管理情報及び紙指紋情報を含む原本情報の登録先である管理サーバー２の管理データベース２１に関する情報であっても良い。また、管理情報は管理サーバー２で管理され発行されても良い。
【００４７】
こうして、図３（Ａ）に示すように、印字データと画像コード３１が印字された原本３０を作成したのち、ユーザーは作成された原本３０の画像をスキャナ部１４で読み込む。ＣＰＵ１１は、スキャナ部１４で読み込まれた画像コード３１を解析して管理情報を取得するとともに、原本３０の紙指紋情報を読み取り、これらの管理情報と紙指紋情報とを紐付けてネットワーク３を介して管理サーバー２に送信し、管理サーバー２の管理データベース２１に照合用の管理情報及び紙指紋情報として登録する。紙指紋情報は用紙の繊維情報であり、その読み取り技術は公知であるので詳細な説明は省略する。
【００４８】
紙指紋情報は、この実施形態では図３（Ｂ）の二次元コードの印字部分の拡大図にハッチングを付して示すように、二次元コード３１の中央部に位置する余白領域３２から読み取る構成となっている。特に、二次元コード３１の誤り訂正機能を利用してデータを復元できる領域に形成されている。このように、余白領域３２を、二次元コード３１の誤り訂正機能を利用してデータを復元できる領域に形成することにより、二次元コード３１に影響を及ぼすことなく、可及的に広い範囲の余白領域を確保することができる。二次元コード３１の印字領域内のどの余白領域から紙指紋情報を読み取るかは、予め設定しておけば良い。
【００４９】
次に、原本確認を行いたい場合は、ユーザーは図示しない操作ボタンにより原本登録・判定装置１に対して原本判定モードを設定する。この状態で、判定対象の用紙の画像をスキャナで読み込む。ＣＰＵ１１は読み込んだ画像データから二次元コードを解析し、管理情報を抽出取得する。同時に二次元コードの印字領域内から紙指紋情報を読み取る。
【００５０】
前述したとおり、図４に示すように、管理サーバー２の管理データベース２１には管理情報（図４ではＩＤと記している）と紙指紋情報とが紐付けられて登録されている。原本登録・判定装置１は、用紙の二次元コードから取得した管理情報を管理サーバー２に送信する。管理サーバー２は受信した管理情報を検索し、管理情報に紐付けられている照合用の紙指紋情報を原本登録・判定装置１に送信する。
【００５１】
原本登録・判定装置１は、受信した紙指紋情報と用紙から取得した紙指紋情報とを比較照合する。判定対象の用紙が原本３０である場合は、原本３０から取得された紙指紋情報３２と管理サーバー２から受信した紙指紋情報とが一致するから、照合結果が一致した場合は、原本登録・判定装置１は判定対象の用紙が原本３０であると判定する（図４に〇印で示す）。一致しなかった場合は、原本ではなくコピー等により得られた副本４０等であると判定する（図４に・印で示す）。
【００５２】
図５は、原本登録・判定装置１で実行される原本作成・登録処理を示すフローチャートである。この処理は原本登録・判定装置１のＣＰＵ１１がＲＯＭ１２等の記録媒体に格納された動作プログラムに従って動作することにより実行される。
【００５３】
ステップＳ０１では、用紙に印字データを印字して原本を作成すると共に、管理情報を示す二次元コードを作成して用紙の所定箇所に印字する。
【００５４】
次いでステップＳ０２で、スキャナ部１４を介して原本の画像を読み取り、二次元コードを解析して管理情報を抽出取得するとともに紙指紋情報を取得し、これらの情報を紐付けて管理サーバー２に送信し、管理サーバー２に登録させる。
【００５５】
図６は、原本登録・判定装置１で実行される原本判定処理を示すフローチャートである。この処理は原本登録・判定装置１のＣＰＵ１１がＲＯＭ１２等の記録媒体に格納された動作プログラムに従って動作することにより実行される。
【００５６】
ステップＳ１１では、判定対象の用紙からスキャナ部１４を介して二次元コードと紙指紋情報を読み取り、二次元コードから抽出取得した管理情報を基に、管理サーバー２から管理情報と紐付けられた紙指紋情報を取得する。ステップＳ１２では、用紙から読み取った紙指紋情報を管理サーバー２から取得した紙指紋情報と照合し、ステップＳ１３で両方の紙指紋情報が一致するかどうかを判定する。一致していれば（ステップＳ１３でＹＥＳ）、ステップＳ１４で原本であると判定し、一致していなければ（ステップＳ１３でＮＯ）、ステップＳ１５で原本以外の副本等であると判定する。
【００５７】
図３に示した実施形態では、二次元コード３１の印字領域内の中央部に位置する余白領域３２を、紙指紋情報を読み取る余白領域に設定した構成としたが、余白領域の位置はこれに限定されることはない。
【００５８】
例えば、二次元コード３１の印字領域内に複数の余白領域が存在する場合は、その中の白紙部が連続した最も大きい余白領域を、紙指紋情報を読み取る余白領域に設定しても良い。
【００５９】
また、図７（Ａ）〜（Ｃ）に示すように、原本登録・判定装置１が二次元コードを作成する場合に、同じ管理情報を表示する二次元コードの候補が複数存在する場合は、最も大きい余白領域を有する画像コードが選択する構成としても良い。図７の例ではそれぞれ余白領域３１ａ、３１ｂ、３１ｃを有する３個の候補３０ａ〜３０ｃのうち、最も大きい余白領域３１ｃを有する画像コード３０ｃが選択される。このように、最も大きい余白領域３１ｃを有する画像コード３０ｃを選択することにより、広い範囲の余白領域を形成することができる。
【００６０】
また、図８に示すように、二次元コード３０の印字領域内に複数の余白領域３３が存在しており、これら複数の余白領域３３のそれぞれから紙指紋情報を読み取って１つの紙指紋情報に合成し、管理サーバー２に登録する構成であっても良い。なお、紙指紋情報を１つに合成することなく、複数の余白領域３３のそれぞれから読み取った紙指紋情報を、各余白領域３３の位置と関連付けて個別に登録しておき、原本判定対象の用紙の各余白領域から読み取った紙指紋情報を個別に照合して、原本かどうかを判定しても良い。このように、余白領域３３が複数存在しており、これら複数の余白領域３３の紙指紋情報が読み取られて登録されることで、各余白領域３３は小さくても全体として大きな余白領域を確保でき、原本判定に必要な量の紙指紋情報を登録でき、ひいては高精度の原本判定を行うことができる。
【００６１】
また、図９に示すように、二次元コード３１の印字領域内の１個または複数個の余白領域３３の紙指紋情報に加えて、二次元コード３１の周囲部の余白領域３４の紙指紋情報も読み取る設定とし、印字領域内の余白領域３３の紙指紋情報と周囲部の余白領域３４の紙指紋情報を合わせて照合用の紙指紋情報として登録し、原本判定時は、判定対象の用紙の二次元コード３１の印字領域内の余白領域３３の紙指紋情報と周囲部３４の余白領域の紙指紋情報を読み取り、照合用の紙指紋情報と照合する構成としても良い。
【００６２】
このように、原本用紙３０に印字された二次元コード３１の印字領域内における余白領域３３の紙指紋情報に加えて、二次元コード３１の周囲部の余白領域３４の紙指紋情報も読み取られて、照合用の紙指紋情報として登録し判定されるから、二次元コード３１の印字領域内における余白領域３３の紙指紋情報だけでは不十分な場合も、二次元コード３１のサイズを大きくすることなく、必要な量の紙指紋情報を確保することができ、高精度の原本判定を行うことができる。
【００６３】
図１０はこの発明の他の実施形態を示すものである。この実施形態では、原本登録・判定装置１が、管理情報を示す二次元コード３１を作成する際に、紙指紋情報を読み取る位置である二次元コード３１内の余白領域３３のサイズ（面積）が紙指紋情報の照合のために必要なサイズの余白領域を確保できるかどうかを判断し、確保できない場合には、画像コード３１のサイズを拡大設定して用紙に印字するものである。
【００６４】
即ち、紙文書の紙指紋情報により原本かどうかを判定するための余白領域３３の最低面積は、紙指紋のマッチングを可能とする有効情報量と、システムの管理対応枚数を基に算出できる。例えば、１００万枚の用紙を判別するシステムの場合、有効情報量は２０ｂｉｔ（１０４８５７６）があれば必要十分であり、２０ｂｉｔ分の紙指紋の情報量を取得することができる余白領域の面積を最低サイズとする。つまり、図１０に示すように、作成した二次元コード３１の余白領域３３の面積（図１０の例では複数の余白領域３３の面積の合計）と、必要な最低面積とを比較し、余白領域３３の面積の方が小さい場合は、必要な最低面積を確保できるように拡大して用紙に印字する。なお、余白領域３３の面積の方が大きい場合は、そのままのサイズで印字しても良いが、他の印字データの印字範囲を確保するため、余白領域３３の面積が必要最小限となるように二次元コード３１を縮小して印字しても良い。
【００６５】
図１１はこの発明のさらに他の実施形態を示すものである。この実施形態では、原本登録・判定装置１が紙指紋情報を管理サーバー２に登録する際に、紙指紋情報が読み取られる余白領域の配置情報を、管理情報や紙指紋情報と紐付けて登録するものである。
【００６６】
具体的には、例えば、図３に示したように、二次元コード３１の中央部に、紙指紋情報を読み取る余白領域３２が存在する場合の配置情報をパターン１とし、二次元コード３１内の複数個の余白領域３３と二次元コード３１の周囲部の余白領域３４の紙指紋情報を読み取る場合の配置情報をパターン２とすると、パターン１及びパターン２のうち原稿登録・判定装置１が紙指紋情報を読み取ったパターンを図１１に示すように管理サーバー２に登録しておく。ユーザーがいずれのパターンにするかを選択し、この選択に従って原稿登録・判定装置１が紙指紋情報を読み取る構成としても良い。
【００６７】
原本の判定時には、二次元コード３１から管理情報を取得し、管理情報に基づいて、管理サーバー２から対応する紙指紋情報と配置情報を取得する。そして、取得した配置情報に示される余白領域における紙指紋情報を取得し、これを管理サーバー２から取得した照合用の紙指紋情報と比較照合して、原本かどうかを判定する。
【００６８】
このように、紙指紋が読み取られる余白領域の配置情報が、管理情報や紙指紋情報と紐付けて登録されるから、原本判定時には、登録された余白領域の配置情報に基づいて、紙指紋情報を正確に読み取ることができる。
【００６９】
ところで、紙指紋情報の読み取りに際しては、紙文書の原本性を確保できるサイズで読み取るように、スキャナ部１４の読み取り解像度を変更するのが望ましいが、原本登録・判定装置１が紙指紋情報を管理サーバー２に登録する際に、紙指紋情報を読み取った際の解像度を管理情報及び紙指紋情報と紐付けて管理サーバー２に登録しておき、原本判定のための紙指紋情報の読み取りの際には、登録された解像度を参照して最適な解像度で紙指紋情報を読み取るようにしても良い。
【００７０】
具体的には、図１２に示すように、原本登録・判定装置１が原本から紙指紋情報を読み取った際の解像度（この例では３００ｄｐｉ）を、管理情報及び紙指紋情報と紐付けて管理サーバー２に登録しておく。そして、原本判定時にはスキャナ部１４でまず二次元コードから管理情報を取得し、この管理情報に紐付けられて管理されている紙指紋情報と解像度を管理サーバー２から取得する。
【００７１】
次に、スキャナ部１４の解像度を取得した解像度に設定して、紙指紋情報を読み込み、得られた紙指紋情報と管理サーバー２から取得された照合用の紙指紋情報とを比較照合する。このように、登録された解像度を参照して最適な解像度で紙指紋情報を読み取ることができる。
【００７２】
以上、本発明の一実施形態を説明したが、本発明は上記実施形態に限定されることはない。例えば、管理情報及び紙指紋情報等を管理サーバー２に登録する構成としたが、原本登録・判定装置１で登録管理する構成であっても良い。
【００７３】
また、原本登録・判定装置１により、管理情報及び紙指紋情報等の登録と原本か否かの判定を行う構成としたが、管理情報及び紙指紋情報等の登録を行う原本登録装置と、原本か否かの判定を行う判定装置が異なっていてもよい。
【００７４】
また、スキャナ部１４により、画像コード及び紙指紋情報を読み取る構成としたが、スマートフォン等の携帯端末であるモバイル端末に搭載されたカメラで画像コードの印字箇所を撮影する構成であってもよい。この場合、モバイル端末により管理情報及び紙指紋情報等の登録や、原本か否かの判定を行っても良いが、二次元コードに対する撮影データを原本登録・判定装置１に送信し、原本登録・判定装置１により、管理情報及び紙指紋情報等の登録や、原本か否かの判定を行っても良い。
【００７５】
なお、モバイル端末で撮影を行う場合、画像コードに焦点を合わせることにより、画像コードと紙指紋情報のいずれをも１回の撮影操作で取得することができ、操作性がよい。
【符号の説明】
【００７６】
１    原本登録・判定装置
２    管理サーバー
１１  ＣＰＵ
１２  ＲＯＭ
１４  スキャナ部
１５  記憶部
１６  プリンタ部
２１  管理データベース
３０  原本
３１  二次元コード
３２、３３、３４  余白領域
４０  用紙
【図１】
2018038006.tif 000003
【図２】
2018038006.tif 000004
【図３】
2018038006.tif 000005
【図４】
2018038006.tif 000006
【図５】
2018038006.tif 000007
【図６】
2018038006.tif 000008
【図７】
2018038006.tif 000009
【図８】
2018038006.tif 000010
【図９】
2018038006.tif 000011
【図１０】
2018038006.tif 000012
【図１１】
2018038006.tif 000013
【図１２】
2018038006.tif 000014
【図１３】
2018038006.tif 000015